(57)【要約】      （修正有）【課題】テレビ放送信号の受信状況が悪化した場合でも、放送を継続して楽しむことのできる車載用放送受信システム、放送受信制御装置、放送受信制御方法および制御プログラムを提供する。【解決手段】テレビ放送信号を受信するテレビ放送受信部１０とラジオ放送信号を受信するラジオ放送受信部４０とを備えた車載用放送受信システム１に、テレビ放送信号受信時に、テレビ放送信号の受信状態が所定の映像表示基準レベルに達していない場合、表示部５１、５２におけるテレビ映像の表示を停止する表示制御処理を行うとともに、受信していたテレビ番組に対応するラジオ番組がある場合は音声出力部６０から出力させる音声信号をテレビ音声信号から対応するラジオ番組のラジオ音声信号に切り換える音声切換処理を行う制御部８１とを備えさせる。【選択図】図１
2007243389.tif 000002
【特許請求の範囲】
【請求項１】
テレビ放送信号を受信するテレビ放送受信部とラジオ放送信号を受信するラジオ放送受信部とを備えた車載用放送受信システムであって、
前記テレビ放送信号に含まれるテレビ映像信号に対応するテレビ映像を表示する表示部と、
前記テレビ放送信号に含まれるテレビ音声信号またはラジオ放送信号に含まれるラジオ音声信号を出力する音声信号出力部と、
前記テレビ放送信号受信時に、前記テレビ放送信号の受信状態が所定の映像表示基準レベルに達していない場合、前記表示部における前記テレビ映像の表示を停止する表示制御処理を行うとともに、受信していたテレビ番組に対応するラジオ番組がある場合は前記音声出力部から出力させる音声信号を前記テレビ音声信号から前記対応するラジオ番組のラジオ音声信号に切り換える音声切換処理を行う制御部と、
を備えたことを特徴とする車載用放送受信システム。
【請求項２】
請求項１に記載の車載用放送受信システムにおいて、
前記制御部は、前記音声切換処理を行う際に、前記テレビ放送信号の受信状態が前記映像表示基準レベルに達していないが、所定の音声出力基準レベルに達している場合は、前記テレビ放送信号に視覚障害者用の副音声信号が含まれていれば前記ラジオ音声に換えて前記副音声信号を前記音声信号出力部から出力させること、
を特徴とする車載用放送受信システム。
【請求項３】
テレビ放送信号を受信するテレビ放送受信部を備えた車載用放送受信システムであって、
前記テレビ放送信号に含まれるテレビ映像信号に対応するテレビ映像を表示する表示部と、
前記テレビ放送信号に含まれるテレビ主音声信号を出力する音声信号出力部と、
前記テレビ放送信号受信時に、前記テレビ放送信号の受信状態が所定の映像表示基準レベルに達していない場合、前記表示部における前記テレビ映像の表示を停止する表示制御処理を行うとともに、前記テレビ放送信号の受信状態が所定の音声出力基準レベルに達しており、かつ、前記テレビ放送信号に視覚障害者用の副音声信号が含まれる場合は、前記音声出力部から出力する音声信号を前記テレビ主音声信号から前記テレビ副音声信号に切り換える音声切換処理を行う制御部と、
を備えたことを特徴とする車載用放送受信システム。
【請求項４】
テレビ放送信号を受信するテレビ放送受信部と、ラジオ放送信号を受信するラジオ放送受信部と、前記テレビ放送信号に含まれるテレビ映像信号に対応するテレビ映像を表示する表示部と、前記テレビ放送信号に含まれるテレビ音声信号またはラジオ放送信号に含まれるラジオ音声信号を出力する音声信号出力部と、を備える車載用放送受信システムに設けられる放送受信制御装置であって、
当該放送受信制御装置は、
前記テレビ放送信号受信時に、前記テレビ放送信号の受信状態が所定の映像表示基準レベルに達していない場合、前記表示部における前記テレビ映像の表示を停止する表示制御処理を行うとともに、受信していたテレビ番組に対応するラジオ番組がある場合は前記音声出力部から出力させる音声信号を前記テレビ音声信号から前記対応するラジオ番組のラジオ音声信号に切り換える音声切換処理を行う、
ことを特徴とする放送受信制御装置。
【請求項５】
テレビ放送信号を受信するテレビ放送受信部と、ラジオ放送信号を受信するラジオ放送受信部と、前記テレビ放送信号に含まれるテレビ映像信号に対応するテレビ映像を表示する表示部と、前記テレビ放送信号に含まれるテレビ音声信号またはラジオ放送信号に含まれるラジオ音声信号を出力する音声信号出力部と、を備える車載用放送受信システムにおける放送受信制御方法であって、
前記テレビ放送信号受信時に、前記テレビ放送信号の受信状態が所定の映像表示基準レベルに達していない場合、前記表示部における前記テレビ映像の表示を停止するとともに、受信していたテレビ番組に対応するラジオ番組がある場合は前記音声出力部から出力させる音声信号を前記テレビ音声信号から前記対応するラジオ番組のラジオ音声信号に切り換える過程を備えたこと、
を特徴とする放送受信制御方法。
【請求項６】
テレビ放送信号を受信するテレビ放送受信部と、ラジオ放送信号を受信するラジオ放送受信部と、前記テレビ放送信号に含まれるテレビ映像信号に対応するテレビ映像を表示する表示部と、前記テレビ放送信号に含まれるテレビ音声信号またはラジオ放送信号に含まれるラジオ音声信号を出力する音声信号出力部と、を備える車載用放送受信システムに設けられる放送受信制御装置をコンピュータを用いて制御する制御プログラムであって、
前記テレビ放送信号受信時に、前記テレビ放送信号の受信状態が所定の映像表示基準レベルに達していない場合、前記表示部における前記テレビ映像の表示を停止させるとともに、受信していたテレビ番組に対応するラジオ番組がある場合は前記音声出力部から出力させる音声信号を前記テレビ音声信号から前記対応するラジオ番組のラジオ音声信号に切り換えさせること、
を特徴とする制御プログラム。
【発明の詳細な説明】
【技術分野】
【０００１】
本発明は、テレビ放送とラジオ放送とを受信する車載用放送受信システム、放送受信制御装置、放送受信制御方法および制御プログラムに関する。
【背景技術】
【０００２】
近年、車内に前部座席用のモニタに加えて、後部座席用のモニタも設け、後部座席の乗員も車内でテレビ映像等の映像を楽しめるようにした車載用放送受信システムが普及し始めている。このような車載用放送受信システムでは、後部座席の乗員が視認する後部座席用のモニタにおいても、テレビチューナ、車載のＤＶＤ（Digital Versatile Disk）再生装置またはゲーム機から与えられる映像等を表示させることが行われている（例えば、特許文献１参照）。
【０００３】
また、車両走行中に、テレビ放送電波の受信状態が悪化した場合には、テレビ映像の表示が乱れるため、受信状態が回復するまでの間は、視聴者の不快感を低減するために、ブルーバック表示にした上で、テレビ音声のみを出力することが行われている。
【０００４】
さらに、上記のような、車載用放送受信システムにおいて、運転の安全確保の観点から走行中はテレビ映像の表示を停止させてテレビ放送電波に含まれる音声信号のみを出力させ、車両を停止させたときはテレビ映像を表示させるようにすることが行われている（例えば、特許文献２参照）。
【特許文献１】特開２００３−３２７０４４号公報
【特許文献２】特開平７−３２２１６０号公報
【発明の開示】
【発明が解決しようとする課題】
【０００５】
しかしながら、後部座席の乗員は、走行中においても、テレビ放送を楽しみたいという要望がある。そのような場合に、テレビ映像の表示を停止させてテレビ音声のみを出力したのでは、後部座席の乗員はテレビ番組の内容を十分に把握できないという不満が生じていた。すなわち、テレビ放送は、テレビ映像とテレビ音声の双方により情報を伝達することを目的としているため、テレビ映像による情報が得られない状況では、その放送内容を十分に把握できないという問題があった。
【０００６】
本発明の課題は、テレビ放送信号の受信状況が悪化した場合でも、放送を継続して楽しむことのできる車載用放送受信システム、放送受信制御装置、放送受信制御方法および制御プログラムを提供することにある。
【課題を解決するための手段】
【０００７】
上記課題を解決するため、本発明の車載用放送受信システムは、テレビ放送信号を受信するテレビ放送受信部とラジオ放送信号を受信するラジオ放送受信部とを備えた車載用放送受信システムであって、前記テレビ放送信号に含まれるテレビ映像信号に対応するテレビ映像を表示する表示部と、前記テレビ放送信号に含まれるテレビ音声信号またはラジオ放送信号に含まれるラジオ音声信号を出力する音声信号出力部と、前記テレビ放送信号受信時に、前記テレビ放送信号の受信状態が所定の映像表示基準レベルに達していない場合、前記表示部における前記テレビ映像の表示を停止する表示制御処理を行うとともに、受信していたテレビ番組に対応するラジオ番組がある場合は前記音声出力部から出力させる音声信号を前記テレビ音声信号から前記対応するラジオ番組のラジオ音声信号に切り換える音声切換処理を行う制御部と、を備えたことを特徴とする。
上記構成によれば、制御部は、テレビ放送受信部において受信したテレビ放送信号の受信状態が所定の映像表示基準レベルに達しておらず、テレビ映像を表示部に良好に表示できない場合、表示部におけるテレビ映像の表示を停止する。また、制御部はテレビ映像の表示を停止させた際に、受信していたテレビ番組に対応するラジオ番組がある場合は、音声出力部から出力させる音声信号をテレビ音声からラジオ音声に切り換える。このため、テレビ放送信号の受信状況が悪化して、テレビ映像の表示が停止される間は、映像情報に頼ることなく、情報を提供しようとするラジオ放送における音声信号が出力されるので、映像表示がない場合でも、乗員は放送される番組の内容の展開を把握しやすく、継続して放送を楽しむことができる。
【０００８】
また、上記構成の車載用放送受信システムにおいて、前記制御部に、前記音声切換処理を行う際に、前記テレビ放送信号の受信状態が前記映像表示基準レベルに達していないが、所定の音声出力基準レベルに達している場合は、前記テレビ放送信号に視覚障害者用の副音声信号が含まれていれば前記ラジオ音声に換えて前記副音声信号を前記音声信号出力部から出力させてもよい。
【０００９】
また、本発明の車載用放送受信システムは、テレビ放送信号を受信するテレビ放送受信部を備えた車載用放送受信システムであって、前記テレビ放送信号に含まれるテレビ映像信号に対応するテレビ映像を表示する表示部と、前記テレビ放送信号に含まれるテレビ主音声信号を出力する音声信号出力部と、前記テレビ放送信号受信時に、前記テレビ放送信号の受信状態が所定の映像表示基準レベルに達していない場合、前記表示部における前記テレビ映像の表示を停止する表示制御処理を行うとともに、前記テレビ放送信号の受信状態が所定の音声出力基準レベルに達しており、かつ、前記テレビ放送信号に視覚障害者用の副音声信号が含まれる場合は、前記音声出力部から出力する音声信号を前記テレビ主音声信号から前記テレビ副音声信号に切り換える音声切換処理を行う制御部と、を備えたことを特徴とする。
上記構成によれば、制御部は、テレビ放送受信部において受信したテレビ放送信号の受信状態が所定の映像表示基準レベルに達せず、テレビ映像を表示部に良好に表示できない場合、表示部におけるテレビ映像の表示を停止する。また、制御部はテレビ映像の表示を停止させた際に、テレビ放送信号の受信状態が所定の音声出力基準レベルに達しており、テレビ音声を良好に受信でき、かつ、テレビ音声信号に視覚障害者用の副音声信号が含まれる場合は、音声出力部から出力させる音声信号をテレビ主音声信号からテレビ副音声信号に切り換える。このため、テレビ映像信号の受信状況が悪化して、テレビ映像の表示が停止される間は、映像情報に頼ることなく、情報を提供しようとする視覚障害者用の副音声信号が出力されるので、映像表示がない場合でも、内容の展開を把握しやすく、乗員は継続して放送を楽しむことができる。
【００１０】
また、本発明の放送受信制御装置は、テレビ放送信号を受信するテレビ放送受信部と、ラジオ放送信号を受信するラジオ放送受信部と、前記テレビ放送信号に含まれるテレビ映像信号に対応するテレビ映像を表示する表示部と、前記テレビ放送信号に含まれるテレビ音声信号またはラジオ放送信号に含まれるラジオ音声信号を出力する音声信号出力部と、を備える車載用放送受信システムに設けられる放送受信制御装置であって、当該放送受信制御装置は、前記テレビ放送信号受信時に、前記テレビ放送信号の受信状態が所定の映像表示基準レベルに達していない場合、前記表示部における前記テレビ映像の表示を停止する表示制御処理を行うとともに、受信していたテレビ番組に対応するラジオ番組がある場合は前記音声出力部から出力させる音声信号を前記テレビ音声信号から前記対応するラジオ番組のラジオ音声信号に切り換える音声切換処理を行う、ことを特徴とする。
【００１１】
また、本発明の放送受信制御方法は、テレビ放送信号を受信するテレビ放送受信部と、ラジオ放送信号を受信するラジオ放送受信部と、前記テレビ放送信号に含まれるテレビ映像信号に対応するテレビ映像を表示する表示部と、前記テレビ放送信号に含まれるテレビ音声信号またはラジオ放送信号に含まれるラジオ音声信号を出力する音声信号出力部と、を備える車載用放送受信システムにおける放送受信制御方法であって、前記テレビ放送信号受信時に、前記テレビ放送信号の受信状態が所定の映像表示基準レベルに達していない場合、前記表示部における前記テレビ映像の表示を停止するとともに、受信していたテレビ番組に対応するラジオ番組がある場合は前記音声出力部から出力させる音声信号を前記テレビ音声信号から前記対応するラジオ番組のラジオ音声信号に切り換える過程を備えたこと、を特徴とする。
【００１２】
また、本発明の制御プログラムは、テレビ放送信号を受信するテレビ放送受信部と、ラジオ放送信号を受信するラジオ放送受信部と、前記テレビ放送信号に含まれるテレビ映像信号に対応するテレビ映像を表示する表示部と、前記テレビ放送信号に含まれるテレビ音声信号またはラジオ放送信号に含まれるラジオ音声信号を出力する音声信号出力部と、を備える車載用放送受信システムに設けられる放送受信制御装置をコンピュータを用いて制御する制御プログラムであって、前記テレビ放送信号受信時に、前記テレビ放送信号の受信状態が所定の映像表示基準レベルに達していない場合、前記表示部における前記テレビ映像の表示を停止させるとともに、受信していたテレビ番組に対応するラジオ番組がある場合は前記音声出力部から出力させる音声信号を前記テレビ音声信号から前記対応するラジオ番組のラジオ音声信号に切り換えさせること、を特徴とする。
【発明の効果】
【００１３】
本発明によれば、テレビ放送信号の受信状況が悪化した場合でも、放送を継続して楽しむことができる。
【発明を実施するための最良の形態】
【００１４】
以下、図面を参照して本発明の第一の実施の形態および第二の実施の形態を説明する。
（第一の実施の形態）
まず、本発明の第一の実施の形態について図１〜図３を参照して説明する。図１に第一の実施の形態の車載用放送受信システム１を示す。
【００１５】
図１に示すように、車載用放送受信システム１は、テレビチューナ（テレビ放送受信部）１０と、ディスク再生装置２０と、ナビゲーション装置３０と、ラジオチューナ（ラジオ放送受信部）４０と、操作ユニット７０と、表示ユニット５０と、音声ユニット６０と、これらの各構成要素を制御する放送受信制御装置（制御部）８０とを備え、動作モードとして、テレビ受信モード、ディスク再生モード、ナビゲーションモード、ラジオ受信モードを備えている。
【００１６】
第一の実施の形態の車載用放送受信システム１は、テレビチューナ１０においてテレビ放送信号を受信している際に、テレビ放送信号の受信状況が悪化した場合には、表示ユニット５０におけるテレビ映像の表示を停止させて、音声ユニット６０においてテレビ音声の出力をラジオ音声の出力に切り換えるようにしたものである。以下、各構成要素について説明する。
【００１７】
テレビチューナ１０は、アンテナ１１等を備え、アンテナ１１を介して受信したテレビ放送信号からテレビ映像信号およびテレビ音声信号等を取得して、放送受信制御装置８０に出力するものである。ここで、所定のテレビ番組において、日本語音声ガイド等の視覚障害者用の副音声信号が提供されている場合には、テレビ音声信号にはテレビ主音声信号とテレビ副音声信号とが含まれる。
【００１８】
テレビチューナ１０は、テレビ放送信号の受信状態を検出する受信状態検出部１２を内蔵している。受信状態検出部１２において、検出した受信状態検出信号ＳＴは放送受信制御装置８０に出力される。
【００１９】
ディスク再生装置２０は、ＤＶＤ（Digital Versatile Disk）再生装置、ハードディスク装置、ＣＤ（Compact Disk）再生装置、ＭＤ（Mini Disk）再生装置等の、各種記録媒体に記録された映像信号および／または音声信号等を読み出して放送受信制御装置８０に出力するものである。
【００２０】
ナビゲーション装置３０は、ＧＰＳ（Global Positioning System）アンテナ３１等を備え、ＧＰＳアンテナ３１を介して受信したＧＰＳ電波に基づいて検出した車両１００の現在位置に基づき、目的地までの経路案内を行う装置であり、経路案内に伴う地図情報等の映像信号および音声信号を放送受信制御装置８０に出力するものである。
【００２１】
ラジオチューナ４０は、アンテナ４１等を備え、アンテナ４１を介して受信したラジオ放送信号からラジオ音声信号等を取得して、放送受信制御装置８０に出力するものである。
【００２２】
表示ユニット５０は、図１および図２に示すように、フロントシート用表示装置５１およびリアシート用表示装置５２を備えている。フロントシート用表示装置５１は、図２に示すように、コンソール、フロントパネル等に配置されるもので、主に運転席や助手席の前部座席１０１の乗員が視認するものである。一方、リアシート用表示装置５２は、車室内の天井部から支持具を介して吊り下げられて配置されたり、フロントシートのシートバック部、ヘッドレスト背面等に配置されるもので、後部座席１０２の乗員が主に視認するものである。
【００２３】
各表示装置５１、５２は、それぞれ液晶ディスプレイ等から構成され、放送受信制御装置８０を介して各種映像信号源（テレビチューナ１０，ディスク再生装置２０、ナビゲーション装置３０）から出力される映像信号に対応する映像が表示される。各表示装置５１、５２には同じ映像信号源から出力される映像信号に対応する映像を表示させることもできるし、異なる映像信号源から出力される映像信号に対応する映像をそれぞれ表示させることもできる。すなわち、フロントシート用表示装置５１に、ナビゲーション装置３０から出力される目的地までの経路案内のための画像を表示させ、リアシート用表示装置５２には、テレビチューナ１０またはディスク再生装置２０から出力されるテレビ放送またはＤＶＤ等に記録された映画等の画像を表示させることができる。
【００２４】
図１に示す音声ユニット６０は、増幅器６１とスピーカ６２とヘッドフォン６３とを備えている。音声ユニット６０において、放送受信制御装置８０を介して各種音声信号源（テレビチューナ１０、ディスク再生装置２０、ナビゲーション装置３０、ラジオチューナ４０）から出力される音声信号を増幅器６１により増幅してスピーカ６２から出力させたり、ヘッドフォン６３から出力させたりする。
【００２５】
図２に示すように、スピーカ６２はフロントドア、リアドアの下部などに配設され、それぞれの表示装置５１、５２に表示される映像とともに音声を楽しむことができるようになっており、音声はヘッドフォン６２を通して聞くこともできるようになっている。スピーカ６２から出力される音声は、主として、フロントシート用表示装置５１に表示される映像と対応しており、ヘッドフォン６３から出力される音声は、主として、リアシート用表示装置５２に表示される映像と対応している。
【００２６】
操作ユニット７０（図１参照）は、ユーザからの各種操作を受け付けるもので、フロントシート用表示装置５１および／またはリアシート用表示装置５２に表示させる映像信号源として、テレビチューナ１０、ディスク再生装置２０、ナビゲーション装置３０のいずれかを選択して映像信号選択信号を放送受信制御装置８０に入力するための操作子、あるいは映像表示を伴わない音声信号源としてのディスク再生装置２０、ラジオチューナ４０を選択して音声信号選択信号を放送受信制御装置８０に入力するための操作子等の各種操作子を有している。ユーザは映像信号源、音声信号源として、テレビチューナ１０、ディスク再生装置２０、ナビゲーション装置３０、ラジオチューナ４０のいずれかを選択することにより、動作モードをテレビ受信モード、ディスク再生モード、ナビゲーションモード、ラジオ受信モードに切り換えることができる。
【００２７】
放送受信制御装置８０は、図１に示すように、制御部８１と、記録部８２と、映像信号選択部８３と、画像処理部８４、８５と、音声信号選択部８６とを備えている。
【００２８】
制御部８１は、図示しないＣＰＵ、ＲＡＭ、ＲＯＭ等により構成され、ＲＯＭに格納された各種制御プログラムをＲＡＭに読み出して、ＲＡＭの一部を作業領域として、放送受信制御装置８０の各部を集中制御して、表示制御処理、音声切換処理、輝度調整処理、等の各種の処理を実行するものである。
【００２９】
本実施の形態において、制御部８１は、テレビチューナ１０において受信するテレビ放送信号の受信状態をテレビチューナ１０が有する受信状態検出部１２から入力される受信状態検出信号ＳＴに基づき監視し、テレビ放送信号の受信状態が所定の映像表示基準レベルに達しているか否か、または音声出力基準レベルに達しているか否かを判別する。テレビ放送信号の受信状態が所定の映像表示基準レベルに達しないと判別した場合には、制御部は、表示制御処理および音声切換処理を実行するための表示制御信号や音声切換信号を映像信号選択部８３や音声信号選択部８６等に送る。
【００３０】
ここで、テレビ放送信号の受信状態が所定の映像表示基準レベルまたは所定の音声出力基準レベルに達しているか否かは、例えば、受信したテレビ放送信号の電界強度により判別することができる。すなわち、所定の映像表示基準レベルとして、テレビ映像を表示装置５１、５２に良好に表示するために必要な電界強度の値を設定し、所定の音声出力基準レベルとして、テレビ音声を音声ユニット６０から良好に出力するために必要な電界強度の値に設定しておき、受信したテレビ放送信号の電界強度と設定された値とを比較することにより、テレビ放送信号の受信状態が所定の映像表示基準レベルまたは音声出力基準レベルに達しているか否かを判別することができる。なお、この場合、所定の映像表示基準レベルを示す電界強度の値と所定の音声出力基準レベルを示す電界強度の値は、音声出力基準レベルを示す電界強度の値の方が低く設定される。テレビ映像を良好に表示するには、テレビ音声を良好に受信する場合に際して高い電界強度を必要とするからである。
【００３１】
但し、テレビ放送信号の電界強度は、利得の校正されたアンテナ（例えば、アンテナ１１）を使用してアンテナに誘起された電圧を測定用受信機としての受信状態検出部１２（電界強度計）で検出することができる。
【００３２】
また、特にデジタルテレビ放送の場合は、テレビ放送信号の電界強度に加えて、ＭＥＲ（Modulation Error Ratio；変調誤差比）、BER（Bit Error Rate；ビット誤り率）などについても評価項目として、これらの項目についても映像表示基準レベル、音声出力基準レベルを示す値を設定しておくことができる。テレビ放送信号の電界強度に加えて、これらの項目に基づいてテレビ放送信号の受信状態が所定の映像表示基準レベル、または所定の音声出力基準レベルに達しているか否かを判別することができる。
【００３３】
また、制御部８１は、操作ユニット７０を介してユーザから映像信号源を選択する操作または音声信号源を選択する操作が行われた場合は、操作に応じた映像信号選択信号、音声信号選択信号をそれぞれ映像信号選択部８３、音声信号選択部８６に出力する。
【００３４】
また、制御部８１には、車両１００のスモールライト（ヘッドライト）（図示略）の点灯により出力されるイルミ信号ＳＩが入力され、これにより車両１００の周囲の明るさが所定の明るさよりも明るいか否かを判別する。イルミ信号ＳＩが入力されると、制御部８１は、車両１００の周囲が所定の明るさよりも暗いと判別し、両表示装置５１、５２の輝度を下げるなどの輝度調整処理を行う。
【００３５】
また、制御部８１には、車両１００のギアがリバース位置（後退位置）に設定された際にリバース信号ＳＲが入力され、リバース信号ＳＲが入力されると車両１００の後退を検出する。本実施の形態では、車両１００の周囲が所定の明るさよりも暗い場合に車両１００の後退が検出されると、表示装置５１、５２における映像表示の停止を中止する処理を実行し、車両１００のリアガラス等への映像の映り込みを防止し、運転者の後方確認の視認性を確保するようにしている。
【００３６】
記録部８２は、テレビチューナ１０から受信する映像信号、音声信号等、当該放送受信制御装置８０に接続される上記各種映像信号源、音声信号源から入力する映像信号、音声信号等の各種データを記録するもので、ハードディスク、半導体メモリ等から構成される。
【００３７】
映像信号選択部８３は、制御部８１から入力される映像信号選択信号に従い、所定の映像信号源から出力される映像信号を所定の画像処理部８４、８５に出力するものである。映像信号選択部８３は、フロントシート用表示装置５１およびリアシート用表示装置５２に出力する映像信号をそれぞれ独立して選択することができるように設定されている。
【００３８】
また、映像信号選択部８３は、フロントシート用表示装置５１またはリアシート用表示装置５２の映像信号源としてテレビチューナ１０を選択していた場合に、テレビチューナ１０において受信したテレビ放送信号の受信状態が悪化して、所定の映像表示基準レベルに達しないときに、制御部８１から表示制御信号が映像信号選択部８３に入力されると、フロントシート用表示装置５１またはリアシート用表示装置５２へのテレビ映像信号の出力を停止し、テレビ映像の表示を停止させる。
【００３９】
画像処理部８４、８５は、フロントシート用表示装置５１、リアシート用表示装置５２のそれぞれに対して設けられる。各画像処理部８４、８５において、映像信号選択部８３から入力した映像信号を、必要に応じて画像処理を施した上で、各表示装置５１、５２に出力するものである。
【００４０】
音声信号選択部８６は、制御部８１から入力される音声信号選択信号に従い、所定の音声信号源から出力される音声信号を増幅器６１で増幅してスピーカ６２から出力させたり、後部座席１０２の乗員用の音声出力装置としてのヘッドフォン６３に出力するものである。音声信号選択部８６は、スピーカ６２およびヘッドフォン６３に出力する音声信号をそれぞれ独立して選択することができるように設定されている。
【００４１】
音声信号選択部８６は、スピーカ６２またはヘッドフォン６３の音声信号源としてテレビチューナ１０を選択していた場合に、テレビ放送信号の受信状態が悪化して、所定の映像表示基準レベルに達しないときに、制御部８１から音声切換信号が音声信号選択部８６に入力されると、受信していたテレビ番組に対応するラジオ番組があれば、ラジオチューナ４０に音声信号源を切り換えて、スピーカ６２またはヘッドフォン６３から出力させる音声をテレビ音声からラジオ音声に切り換える。
【００４２】
ここで、テレビ番組に対応するラジオ番組とは、同一の試合等についての野球中継、サッカー中継、マラソン中継等のスポーツ中継を行う番組や、同一系列局におけるニュース番組等をいう。表示装置５１、５２においてテレビ映像の表示を停止させた場合に、テレビ音声をラジオ音声に切り換えるのは、同一の内容についての番組であっても、テレビ映像の表示がない場合には、ラジオ番組における音声情報の方が試合経過等の番組内容を把握しやすいためである。これにより後部座席の乗員は継続して放送を楽しむことができる。
【００４３】
また、対応するラジオ番組の有無は、例えば、テレビ放送信号に当該テレビ番組に対応するラジオ番組がある場合にはそのラジオ番組の放送周波数等の情報を多重化させておくことが考えられる。これにより、制御部８１は音声信号選択部８６に当該放送周波数のラジオ放送を選択するように音声切換信号を送り、当該制御信号に基づいて音声信号選択部８６はラジオチューナ４０から所定の放送周波数のラジオ放送を受信して、その音声信号をヘッドフォン６３に出力するようにすることができる。
【００４４】
逆に、ラジオ放送信号に所定のテレビ番組と対応することを示す識別コードを多重化させておき、制御部８１から音声切換信号が入力された場合に、当該識別コードに基づきラジオチューナの選局を行い、対応するラジオ番組を受信するようにしてもよい。
【００４５】
また、予め、ユーザがテレビ番組表、ラジオ番組表などから、対応する番組について放送周波数を含む対応付け情報を操作ユニット７０を介して制御部８１の図示しないＲＡＭ等に記憶させておいてもよい。
【００４６】
次に、図３を参照して放送受信制御装置８０において実行される表示制御・音声切換処理を説明する。但し、以下に説明する表示制御・音声切換処理において、フロントシート用表示装置５１およびリアシート用表示装置５２、スピーカ６２、ヘッドフォン６３の映像信号源、音声信号源として共にテレビチューナ１０が選択されているものとして説明する。
【００４７】
図３に示すように、両表示装置５１、５２にテレビ映像の表示が行われていると（ステップＳ１：Ｙ）、制御部８１はテレビチューナ１０において受信するテレビ放送信号の受信状態を受信状態検出部１２から入力される受信状態検出信号ＳＴに基づき監視する（ステップＳ２）。テレビ放送信号の受信状態が所定の映像表示基準レベルに達せず、受信状態が悪化したと判別されると（ステップＳ２：Ｙ）、制御部８１は映像信号選択部８３に表示制御信号を送り、両表示装置５１、５２におけるテレビ映像の表示を停止させる（ステップＳ３）。そして、テレビチューナ１０において受信していたテレビ番組に対応するラジオ番組が存在するか否かを判別する（ステップＳ４）。
【００４８】
対応するラジオ番組が存在する場合（ステップＳ４：Ｙ）、制御部８１は音声信号選択部８６に音声切換信号を送り、音声信号源をラジオチューナ４０に切り換えさせて対応するラジオ番組の音声信号をスピーカ６２およびヘッドフォン６３から出力させる（ステップＳ５）。対応するラジオ番組が存在しない場合（ステップＳ４：Ｎ）、現在の音声信号源の音声信号、すなわち、テレビチューナ１０から出力される音声信号をスピーカ６２およびヘッドフォン６３から出力させる（ステップＳ６）。
【００４９】
そして、操作ユニット７０を介して動作モードの選択切換操作が行われたか否かを判別し（ステップＳ７）、動作モードの選択切換操作が行われた場合（ステップＳ７：Ｙ）には選択された映像信号源または音声信号源に切り換え（ステップＳ８）、動作モードの選択切換操作がない場合（ステップＳ７：Ｎ）には、ステップＳ８の動作をスキップして装置電源がオフされたか否かを判別する（ステップＳ９）。そして、装置電源がオフされるまで（ステップＳ９：Ｙ）、上記処理を繰り返し実行する。
【００５０】
以上説明した第一の実施の形態によれば、制御部８１は、テレビチューナ１０において受信したテレビ放送信号の受信状態が所定の映像表示基準レベルに達せず、テレビ映像を表示装置５１、５２に良好に表示できない場合、表示装置５１、５２におけるテレビ映像の表示を停止する。また、制御部８１はテレビ映像の表示を停止させた際に、受信していたテレビ番組に対応するラジオ番組がある場合は、音声ユニット６０から出力させる音声信号をテレビ音声からラジオ音声に切り換える。このため、テレビ放送信号の受信状況が悪化して、テレビ映像の表示が停止される間は、映像情報に頼ることなく、情報を提供しようとするラジオ放送における音声信号が音声ユニット６０から出力されるので、映像表示がない場合でも、乗員は例えば、野球中継番組やサッカー中継番組を試聴していた場合、ラジオ番組における野球中継、サッカー中継等のラジオ音声により試合展開等の内容の展開を把握しやすく、継続して放送を楽しむことができる。
【００５１】
（第二の実施の形態）
次に、図４を参照して第二の実施の形態を説明する。第二の実施の形態の車載用放送受信システムの構成は、図１および図２に示す第一の実施の形態の車載用放送受信システム１の構成と略同様であるので、ここでは、同様の構成要素については同一の符号を付して、説明を省略する。
【００５２】
図４に、第二の車載用放送受信システム１における放送受信制御装置８０において実行される表示制御・音声切換処理について説明する。第一の実施の形態と同様に、以下に説明する表示制御・音声切換処理において、フロントシート用表示装置５１およびリアシート用表示装置５２、スピーカ６２、ヘッドフォン６３の映像信号源、音声信号源として共にテレビチューナ１０が選択されているものとして説明する。
【００５３】
図４に示すように、両表示装置５１、５２にテレビ映像の表示が行われていると（ステップＳ１１：Ｙ）、制御部８１はテレビチューナ１０において受信するテレビ放送信号の受信状態を受信状態検出部１２から入力される受信状態検出信号ＳＴに基づいて監視する（ステップＳ１２）。テレビ放送信号の受信状態が映像表示基準レベルに達せず、受信状態が悪化したと判別されると（ステップＳ１２：Ｙ）、制御部８１は映像信号選択部８３に制御信号を送り、両表示装置５１、５２におけるテレビ映像の表示を停止させる（ステップＳ１３）。
【００５４】
次に、受信状態検出部１２から入力される受信状態検出信号ＳＴに基づき、テレビ放送信号の受信状態が所定の音声出力基準レベルに達しているか否かを判別する（ステップＳ１４）。テレビ放送信号の受信状態が所定の音声出力基準レベルには達しており、テレビ音声信号を良好に受信できる場合（ステップＳ１４：Ｙ）、次に視覚障害者用の副音声信号の有無を判別する（ステップＳ１５）。テレビ音声信号に副音声信号が含まれる場合（ステップＳ１５：Ｙ）、音声ユニット６０から出力させる音声信号をテレビ主音声信号からテレビ副音声信号に切り換える（ステップＳ１６）。
【００５５】
一方、テレビ放送信号の受信状態が所定の音声出力基準レベルに達しておらず、テレビ音声を音声ユニット６０から良好に出力できない場合（ステップＳ１４：Ｎ）またはテレビ音声信号に視覚障害者用の副音声信号が含まれない場合（ステップＳ１５：Ｎ）、テレビチューナ１０において受信していたテレビ番組に対応するラジオ番組が存在するか否かを判別する（ステップＳ１７）。
【００５６】
対応するラジオ番組が存在する場合（ステップＳ１７：Ｙ）、音声信号源をラジオチューナ４０に切り換えて対応するラジオ番組の音声信号を音声ユニット６０から出力させる（ステップＳ１８）。対応するラジオ番組が存在しない場合（ステップＳ１７：Ｎ）、現在の音声信号源の音声信号、すなわち、テレビチューナ１０から出力されるテレビ音声信号（テレビ主音声信号）を音声ユニット６０から出力させる（ステップＳ１９）。
【００５７】
そして、操作ユニット７０を介して動作モードの選択切換操作が行われたか否かを判別し（ステップＳ２０）、動作モードの選択切換操作が行われた場合（ステップＳ２０：Ｙ）には選択された映像信号源または音声信号源に切り換え（ステップＳ２１）、動作モードの選択切換操作がない場合（ステップＳ２０：Ｎ）には、ステップＳ２１の動作をスキップして装置電源がオフされたか否かを判別する（ステップＳ２２）。そして、装置電源がオフされるまで（ステップＳ２２：Ｙ）、上記処理を繰り返し実行する。
【００５８】
以上説明した第二の実施の形態によれば、制御部８１は、テレビチューナ１０において受信したテレビ放送信号の受信状態が所定の映像表示基準レベルよりに達しておらず、テレビ映像を表示装置５１、５２に良好に表示できない場合、表示装置５１、５２におけるテレビ映像の表示を停止する。また、制御部８１はテレビ映像の表示を停止させた際に、テレビ放送信号の受信状態が所定の映像表示基準レベルには達していないが、音声出力基準レベルに達している場合であって、テレビ音声信号に視覚障害者用の副音声信号が含まれる場合は、音声ユニット６０から出力させる音声信号をテレビ主音声信号からテレビ副音声信号に切り換える。このため、テレビ放送信号の受信状況が悪化して、テレビ映像の表示が停止される間は、映像情報に頼ることなく、情報を提供しようとする視覚障害者用の副音声信号が出力されるので、映像表示がない場合でも、乗員は例えば、野球中継番組やサッカー中継番組を試聴していた場合、ラジオ番組における野球中継、サッカー中継等のラジオ音声により試合展開等の内容の展開を把握しやすく、継続して放送を楽しむことができる。
【００５９】
以上説明した実施の形態は本発明の一態様であり、本発明の趣旨を逸脱しない限り、適宜、変更可能であるのは勿論である。
例えば、上記実施の形態では、フロントシート用表示装置５１とリアシート用表示装置５２が共に映像信号源としてテレビチューナ１０を選択している場合について説明したが、フロントシート用表示装置５１またはリアシート用表示装置５２のいずれか一方が映像信号源としてテレビチューナ１０を選択している場合に、対象となる表示装置について表示制御処理を行い、対象となる表示装置に対応する音声ユニット６０（スピーカ６２またはヘッドフォン６３）について音声切換処理を実行してもよいのは勿論である。
【００６０】
また、上記第一の実施の形態では、図３に示すステップＳ４において、音声信号源をラジオチューナ４０に切り換えてラジオ音声を出力するものとして説明したが、変形例としてテレビ音声信号に視覚障害者用の副音声信号が含まれる場合は、テレビ放送信号の受信状態が音声出力基準レベルに達していれば副音声信号に切り換えて出力するようにしてもよい。
【００６１】
また、上記第二の実施の形態では、図４に示すステップＳ１５において、テレビ副音声信号の有無を判別し、テレビ音声信号にテレビ副音声信号が含まれる場合には、ラジオ音声信号に優先してテレビ主音声信号をテレビ副音声信号に切り換えるものとしたが、変形例として、ラジオ音声信号をテレビ副音声信号に優先して切り換えるようにしてもよい。すなわち、受信していたテレビ番組に対応するラジオ番組がある場合には、優先的に、音声ユニット６０から出力させる音声信号をラジオ音声信号に切り換え、対応するラジオ番組がない場合にテレビ副音声信号の有無を判別して、テレビ音声信号にテレビ副音声信号が含まれる場合はテレビ副音声信号に切り換えるようにしてもよい。
【００６２】
また、上記の実施の形態において、テレビ映像の表示を停止させる際（図３に示すステップＳ３、図４に示すステップＳ１３）に、ブルーバック表示や、所定の静止画等を表示させてもよい。
【００６３】
また、上記の実施の形態において、テレビチューナ１０において受信したテレビ放送信号の受信状態について、テレビ映像を表示装置５１、５２に良好に表示できるレベルである映像表示基準レベルと、テレビ音声を音声ユニット６０から良好に出力できるレベルである音声出力基準レベルとの２段階の閾値を設けて、主としてテレビ放送信号の電界強度に基づいてテレビ映像を良好に表示できるか否か（図３に示すステップＳ２、図４に示すステップＳ１２）、テレビ音声を良好に受信できるか否か（図４に示すステップＳ１４）を判別するものとして説明したが、受信したテレビ放送信号に含まれるテレビ映像信号における映像中間周波数信号、テレビ音声信号における音声中間周波数信号の状態により、各々の受信状態を判断するようにしてもよい。
【図面の簡単な説明】
【００６４】
【図１】実施の形態の車載用放送受信システムの機能的構成を示すブロック図である。
【図２】実施の形態の放送受信制御装置を適用した車載用放送受信システムの構成例を示す模式図である。
【図３】第一の実施の形態の処理フローチャートである。
【図４】第二の実施の形態の処理フローチャートである。
【符号の説明】
【００６５】
１  車載用放送受信システム
１０  テレビチューナ（テレビ放送受信部）
１２  受信状態検出部
２０  ディスク再生装置
３０  ナビゲーション装置
４０  ラジオチューナ（ラジオ放送受信部）
５０  表示ユニット
５１、５２  表示装置（表示部）
６０  音声ユニット
６２  スピーカ（音声出力部）
６３  ヘッドフォン（音声出力部）
７０  操作ユニット
８０  放送受信制御装置
８１  制御部
８３  映像信号選択部
８６  音声信号選択部
【図１】
2007243389.tif 000003
【図２】
2007243389.tif 000004
【図３】
2007243389.tif 000005
【図４】
2007243389.tif 000006